(57)【特許請求の範囲】
【請求項１】
所定の時機に所定の検索条件で通信ネットワークを介してコンテンツの検索を行う検索実行部と、
前記検索の結果に基づいて、通信ネットワークを介してコンテンツを取得するコンテンツ取得部と、
前記取得されたコンテンツを使用して、画面表示されるマガジンデータを作成するマガジン作成部と、
前記マガジンデータに関するコンテンツの既読を管理する既読管理部と、を備え、
前記マガジン作成部は、前記コンテンツの既読の管理に基づいて、前記マガジンデータによる情報提供量を変化させる、電子マガジン作成装置であって、
前記マガジン作成部は、前記コンテンツの既読の割合に応じて見出しの表示数を変える、
電子マガジン作成装置。
【請求項２】
所定の時機に所定の検索条件で通信ネットワークを介してコンテンツの検索を行う検索実行部と、
前記検索の結果に基づいて、通信ネットワークを介してコンテンツを取得するコンテンツ取得部と、
前記取得されたコンテンツを使用して、画面表示されるマガジンデータを作成するマガジン作成部と、
前記マガジンデータに関するコンテンツの既読を管理する既読管理部と、を備え、
前記マガジン作成部は、前記コンテンツの既読の管理に基づいて、前記マガジンデータによる情報提供量を変化させる、電子マガジン作成装置であって、
前記マガジン作成部は、前記コンテンツの既読の割合に応じて、前記マガジンデータの作成頻度を変える、
電子マガジン作成装置。
【請求項３】
所定の時機に所定の検索条件で通信ネットワークを介してコンテンツの検索を行う検索実行部と、
前記検索の結果に基づいて、通信ネットワークを介してコンテンツを取得するコンテンツ取得部と、
前記取得されたコンテンツを使用して、画面表示されるマガジンデータを作成するマガジン作成部と、
前記マガジンデータに関するコンテンツの既読を管理する既読管理部と、を備え、
前記マガジン作成部は、前記コンテンツの既読の管理に基づいて、前記マガジンデータによる情報提供量を変化させる、電子マガジン作成装置であって、
前記マガジン作成部は、自己の電子マガジン作成装置の非使用期間の長さに応じて、前記マガジンデータの作成頻度を変える、
電子マガジン作成装置。
【請求項４】
前記非使用期間の長さと、前記マガジンデータに使用されたコンテンツの未読数とに基づいて、利用者に対するメッセージを出力するメッセージ出力部をさらに備えた請求項３に記載の電子マガジン作成装置。
【請求項５】
前記メッセージはビッグニュースを報知するものである請求項４に記載の電子マガジン作成装置。
【請求項６】
所定の時機に所定の検索条件で通信ネットワークを介してコンテンツの検索を行う検索実行部と、
前記検索の結果に基づいて、通信ネットワークを介してコンテンツを取得するコンテンツ取得部と、
前記取得されたコンテンツを使用して、画面表示されるマガジンデータを作成するマガジン作成部と、
前記マガジンデータに関するコンテンツの既読を管理する既読管理部と、を備え、
前記マガジン作成部は、前記コンテンツの既読の管理に基づいて、前記マガジンデータによる情報提供量を変化させる、電子マガジン作成装置であって、
前記検索実行部は、自己の電子マガジン作成装置の起動時刻履歴情報に基づいて、前記所定の時機を変更する、
電子マガジン作成装置。
【請求項７】
前記マガジン作成部は、前記コンテンツの既読の割合に応じて、前記マガジンデータの作成頻度を変える請求項１に記載の電子マガジン作成装置。
【請求項８】
前記マガジン作成部は、自己の電子マガジン作成装置の非使用期間の長さに応じて、前記マガジンデータの作成頻度を変える請求項１又は２又は７のいずれか１項に記載の電子マガジン作成装置。
【請求項９】
自己の電子マガジン作成装置の非使用期間の長さと、前記マガジンデータに使用されたコンテンツの未読数とに基づいて、利用者に対するメッセージを出力するメッセージ出力部をさらに備えた請求項１又は２又は７又は８のいずれか１項に記載の電子マガジン作成装置。
【請求項１０】
前記メッセージはビッグニュースを報知するものである請求項９に記載の電子マガジン作成装置。
【請求項１１】
前記検索実行部は、自己の電子マガジン作成装置の起動時刻履歴情報に基づいて、前記所定の時機を変更する、
請求項１又は２又は７又は８又は９又は１０のいずれか１項に記載の電子マガジン作成装置。
【請求項１２】
請求項１から１１のいずれか１項に記載の電子マガジン作成装置と、コンテンツ提供元の装置とが通信ネットワークを介して接続される電子マガジン作成システムであり、
前記コンテンツ提供元の装置は、前記電子マガジン作成装置による前記検索の結果に基づいて、前記通信ネットワークを介して前記コンテンツを提供する、
電子マガジン作成システム。
【請求項１３】
電子マガジン作成装置が、所定の時機に所定の検索条件で通信ネットワークを介してコンテンツの検索を行い、
前記電子マガジン作成装置が、前記検索の結果に基づいて、通信ネットワークを介してコンテンツを取得し、
前記電子マガジン作成装置が、前記取得されたコンテンツを使用して、画面表示されるマガジンデータを作成し、
前記電子マガジン作成装置が、前記マガジンデータに関するコンテンツの既読を管理し、
前記電子マガジン作成装置は、前記コンテンツの既読の管理に基づいて、前記マガジンデータによる情報提供量を変化させる、電子マガジン作成方法であって、
前記電子マガジン作成装置は、前記コンテンツの既読の割合に応じて見出しの表示数を変える、
電子マガジン作成方法。
【請求項１４】
電子マガジン作成装置が、所定の時機に所定の検索条件で通信ネットワークを介してコンテンツの検索を行い、
前記電子マガジン作成装置が、前記検索の結果に基づいて、通信ネットワークを介してコンテンツを取得し、
前記電子マガジン作成装置が、前記取得されたコンテンツを使用して、画面表示されるマガジンデータを作成し、
前記電子マガジン作成装置が、前記マガジンデータに関するコンテンツの既読を管理し、
前記電子マガジン作成装置は、前記コンテンツの既読の管理に基づいて、前記マガジンデータによる情報提供量を変化させる、電子マガジン作成方法であって、
前記電子マガジン作成装置は、前記コンテンツの既読の割合に応じて、前記マガジンデータの作成頻度を変える、
電子マガジン作成方法。
【請求項１５】
電子マガジン作成装置が、所定の時機に所定の検索条件で通信ネットワークを介してコンテンツの検索を行い、
前記電子マガジン作成装置が、前記検索の結果に基づいて、通信ネットワークを介してコンテンツを取得し、
前記電子マガジン作成装置が、前記取得されたコンテンツを使用して、画面表示されるマガジンデータを作成し、
前記電子マガジン作成装置が、前記マガジンデータに関するコンテンツの既読を管理し、
前記電子マガジン作成装置は、前記コンテンツの既読の管理に基づいて、前記マガジンデータによる情報提供量を変化させる、電子マガジン作成方法であって、
前記電子マガジン作成装置は、自己の電子マガジン作成装置の非使用期間の長さに応じて、前記マガジンデータの作成頻度を変える、
電子マガジン作成方法。
【請求項１６】
電子マガジン作成装置が、所定の時機に所定の検索条件で通信ネットワークを介してコンテンツの検索を行い、
前記電子マガジン作成装置が、前記検索の結果に基づいて、通信ネットワークを介してコンテンツを取得し、
前記電子マガジン作成装置が、前記取得されたコンテンツを使用して、画面表示されるマガジンデータを作成し、
前記電子マガジン作成装置が、前記マガジンデータに関するコンテンツの既読を管理し、
前記電子マガジン作成装置は、前記コンテンツの既読の管理に基づいて、前記マガジンデータによる情報提供量を変化させる、電子マガジン作成方法であって、
前記電子マガジン作成装置は、自己の電子マガジン作成装置の起動時刻履歴情報に基づいて、前記所定の時機を変更する、
電子マガジン作成方法。
【請求項１７】
コンピュータに、
所定の時機に所定の検索条件で通信ネットワークを介してコンテンツの検索を行う検索実行機能と、
前記検索の結果に基づいて、通信ネットワークを介してコンテンツを取得するコンテンツ取得機能と、
前記取得されたコンテンツを使用して、画面表示されるマガジンデータを作成するマガジン作成機能と、
前記マガジンデータに関するコンテンツの既読を管理する既読管理機能と、を実現させるためのコンピュータプログラムであり、
前記マガジン作成機能は、前記コンテンツの既読の管理に基づいて、前記マガジンデータによる情報提供量を変化させ、
前記マガジン作成機能は、前記コンテンツの既読の割合に応じて見出しの表示数を変える、
コンピュータプログラム。
【請求項１８】
コンピュータに、
所定の時機に所定の検索条件で通信ネットワークを介してコンテンツの検索を行う検索実行機能と、
前記検索の結果に基づいて、通信ネットワークを介してコンテンツを取得するコンテンツ取得機能と、
前記取得されたコンテンツを使用して、画面表示されるマガジンデータを作成するマガジン作成機能と、
前記マガジンデータに関するコンテンツの既読を管理する既読管理機能と、を実現させるためのコンピュータプログラムであり、
前記マガジン作成機能は、前記コンテンツの既読の管理に基づいて、前記マガジンデータによる情報提供量を変化させ、
前記マガジン作成機能は、前記コンテンツの既読の割合に応じて、前記マガジンデータの作成頻度を変える、
コンピュータプログラム。
【請求項１９】
コンピュータに、
所定の時機に所定の検索条件で通信ネットワークを介してコンテンツの検索を行う検索実行機能と、
前記検索の結果に基づいて、通信ネットワークを介してコンテンツを取得するコンテンツ取得機能と、
前記取得されたコンテンツを使用して、画面表示されるマガジンデータを作成するマガジン作成機能と、
前記マガジンデータに関するコンテンツの既読を管理する既読管理機能と、を実現させるためのコンピュータプログラムであり、
前記マガジン作成機能は、前記コンテンツの既読の管理に基づいて、前記マガジンデータによる情報提供量を変化させ、
前記マガジン作成機能は、自己の電子マガジン作成装置の非使用期間の長さに応じて、前記マガジンデータの作成頻度を変える、
コンピュータプログラム。
【請求項２０】
コンピュータに、
所定の時機に所定の検索条件で通信ネットワークを介してコンテンツの検索を行う検索実行機能と、
前記検索の結果に基づいて、通信ネットワークを介してコンテンツを取得するコンテンツ取得機能と、
前記取得されたコンテンツを使用して、画面表示されるマガジンデータを作成するマガジン作成機能と、
前記マガジンデータに関するコンテンツの既読を管理する既読管理機能と、を実現させるためのコンピュータプログラムであり、
前記マガジン作成機能は、前記コンテンツの既読の管理に基づいて、前記マガジンデータによる情報提供量を変化させ、
前記検索実行機能は、自己の電子マガジン作成装置の起動時刻履歴情報に基づいて、前記所定の時機を変更する、
コンピュータプログラム。
【発明の詳細な説明】
【技術分野】
【０００１】
本発明は、電子マガジン作成装置、電子マガジン作成システム、電子マガジン作成方法およびコンピュータプログラムに関する。
【背景技術】
【０００２】
従来、ニュース等の複数の掲載用コンテンツを新聞や雑誌の形式で掲載したディジタルコンテンツを利用者の端末へ配信する技術として、例えば特許文献１が知られている。特許文献１の従来技術では、コンテンツ配信端末が、利用者から指定された配信日時になると、当該利用者から指定されたキーワードに基づいてコンテンツ登録データベースを検索し、この検索の結果として得られた掲載用コンテンツを使用してディジタルコンテンツを作成する。そして、コンテンツ配信端末が、該作成したディジタルコンテンツを当該利用者の端末へ配信する。
【先行技術文献】
【特許文献】
【０００３】
【特許文献１】特開２００２−１４０３６４号公報
【発明の概要】
【発明が解決しようとする課題】
【０００４】
しかし、上述した従来の技術では、以下に示すような課題がある。
【０００５】
例えば日刊で、コンテンツ配信端末から利用者端末へディジタルコンテンツを配信する場合を考える。このディジタルコンテンツには、毎日、一定数の掲載用コンテンツが含まれている。このため、利用者は、利用者端末に届いたディジタルコンテンツによって、毎日、一定数のコンテンツを読むことができる。ここで、毎日届くディジタルコンテンツをよく読む（例えば、毎日読む）利用者と、あまり読まない（例えば、１週間に１回しか読まない）利用者とを考える。毎日読む利用者にとっては、もしかすると、ディジタルコンテンツで提供される情報量が少ないと感じているかもしれない。一方、１週間に１回しか読まない利用者にとっては、ディジタルコンテンツで提供される情報量が多いと感じているかもしれない。
【０００６】
このため、利用者によってどのくらいコンテンツが読まれているのかに応じて、ディジタルコンテンツで提供する情報量を変えることが考えられる。しかしながら、上述した従来のコンテンツ配信端末では、利用者端末へ配信済みのディジタルコンテンツに含まれる掲載用コンテンツが利用者によってどのくらい読まれているのか（既読なのか）が分からないので、利用者によるコンテンツの既読の割合に応じてディジタルコンテンツで提供する情報量を変えることができない。
【０００７】
本発明は、このような事情を考慮してなされたものであり、電子マガジンで利用者に提供する情報量の適正化に寄与できる、電子マガジン作成装置、電子マガジン作成システム、電子マガジン作成方法およびコンピュータプログラムを提供することを課題とする。
【課題を解決するための手段】
【０００８】
（１）本発明の一態様は、所定の時機に所定の検索条件で通信ネットワークを介してコンテンツの検索を行う検索実行部と、前記検索の結果に基づいて、通信ネットワークを介してコンテンツを取得するコンテンツ取得部と、前記取得されたコンテンツを使用して、画面表示されるマガジンデータを作成するマガジン作成部と、前記マガジンデータに関するコンテンツの既読を管理する既読管理部と、を備え、前記マガジン作成部は、前記コンテンツの既読の管理に基づいて、前記マガジンデータによる情報提供量を変化させる、電子マガジン作成装置であって、前記マガジン作成部は、前記コンテンツの既読の割合に応じて見出しの表示数を変える、電子マガジン作成装置である。
（２）本発明の一態様は、所定の時機に所定の検索条件で通信ネットワークを介してコンテンツの検索を行う検索実行部と、前記検索の結果に基づいて、通信ネットワークを介してコンテンツを取得するコンテンツ取得部と、前記取得されたコンテンツを使用して、画面表示されるマガジンデータを作成するマガジン作成部と、前記マガジンデータに関するコンテンツの既読を管理する既読管理部と、を備え、前記マガジン作成部は、前記コンテンツの既読の管理に基づいて、前記マガジンデータによる情報提供量を変化させる、電子マガジン作成装置であって、前記マガジン作成部は、前記コンテンツの既読の割合に応じて、前記マガジンデータの作成頻度を変える、電子マガジン作成装置である。
（３）本発明の一態様は、所定の時機に所定の検索条件で通信ネットワークを介してコンテンツの検索を行う検索実行部と、前記検索の結果に基づいて、通信ネットワークを介してコンテンツを取得するコンテンツ取得部と、前記取得されたコンテンツを使用して、画面表示されるマガジンデータを作成するマガジン作成部と、前記マガジンデータに関するコンテンツの既読を管理する既読管理部と、を備え、前記マガジン作成部は、前記コンテンツの既読の管理に基づいて、前記マガジンデータによる情報提供量を変化させる、電子マガジン作成装置であって、前記マガジン作成部は、自己の電子マガジン作成装置の非使用期間の長さに応じて、前記マガジンデータの作成頻度を変える、電子マガジン作成装置である。
（４）本発明の一態様は、上記（３）の電子マガジン作成装置において、前記非使用期間の長さと、前記マガジンデータに使用されたコンテンツの未読数とに基づいて、利用者に対するメッセージを出力するメッセージ出力部をさらに備えた電子マガジン作成装置である。
（５）本発明の一態様は、上記（４）の電子マガジン作成装置において、前記メッセージはビッグニュースを報知するものである電子マガジン作成装置である。
（６）本発明の一態様は、所定の時機に所定の検索条件で通信ネットワークを介してコンテンツの検索を行う検索実行部と、前記検索の結果に基づいて、通信ネットワークを介してコンテンツを取得するコンテンツ取得部と、前記取得されたコンテンツを使用して、画面表示されるマガジンデータを作成するマガジン作成部と、前記マガジンデータに関するコンテンツの既読を管理する既読管理部と、を備え、前記マガジン作成部は、前記コンテンツの既読の管理に基づいて、前記マガジンデータによる情報提供量を変化させる、電子マガジン作成装置であって、前記検索実行部は、自己の電子マガジン作成装置の起動時刻履歴情報に基づいて、前記所定の時機を変更する、電子マガジン作成装置である。
（７）本発明の一態様は、上記（１）の電子マガジン作成装置において、前記マガジン作成部は、前記コンテンツの既読の割合に応じて、前記マガジンデータの作成頻度を変える電子マガジン作成装置である。
（８）本発明の一態様は、上記（１）又は（２）又は（７）のいずれかの電子マガジン作成装置において、前記マガジン作成部は、自己の電子マガジン作成装置の非使用期間の長さに応じて、前記マガジンデータの作成頻度を変える電子マガジン作成装置である。
（９）本発明の一態様は、上記（１）又は（２）又は（７）又は（８）のいずれかの電子マガジン作成装置において、自己の電子マガジン作成装置の非使用期間の長さと、前記マガジンデータに使用されたコンテンツの未読数とに基づいて、利用者に対するメッセージを出力するメッセージ出力部をさらに備えた電子マガジン作成装置である。
（１０）本発明の一態様は、上記（９）の電子マガジン作成装置において、前記メッセージはビッグニュースを報知するものである電子マガジン作成装置である。
（１１）本発明の一態様は、上記（１）又は（２）又は（７）又は（８）又は（９）又は（１０）のいずれかの電子マガジン作成装置において、前記検索実行部は、自己の電子マガジン作成装置の起動時刻履歴情報に基づいて、前記所定の時機を変更する、電子マガジン作成装置である。
【０００９】
（１２）本発明の一態様は、上記（１）から（１１）のいずれかの電子マガジン作成装置と、コンテンツ提供元の装置とが通信ネットワークを介して接続される電子マガジン作成システムであり、前記コンテンツ提供元の装置は、前記電子マガジン作成装置による前記検索の結果に基づいて、前記通信ネットワークを介して前記コンテンツを提供する、電子マガジン作成システムである。
【００１０】
（１３）本発明の一態様は、電子マガジン作成装置が、所定の時機に所定の検索条件で通信ネットワークを介してコンテンツの検索を行い、前記電子マガジン作成装置が、前記検索の結果に基づいて、通信ネットワークを介してコンテンツを取得し、前記電子マガジン作成装置が、前記取得されたコンテンツを使用して、画面表示されるマガジンデータを作成し、前記電子マガジン作成装置が、前記マガジンデータに関するコンテンツの既読を管理し、前記電子マガジン作成装置は、前記コンテンツの既読の管理に基づいて、前記マガジンデータによる情報提供量を変化させる、電子マガジン作成方法であって、前記電子マガジン作成装置は、前記コンテンツの既読の割合に応じて見出しの表示数を変える、電子マガジン作成方法である。
（１４）本発明の一態様は、電子マガジン作成装置が、所定の時機に所定の検索条件で通信ネットワークを介してコンテンツの検索を行い、前記電子マガジン作成装置が、前記検索の結果に基づいて、通信ネットワークを介してコンテンツを取得し、前記電子マガジン作成装置が、前記取得されたコンテンツを使用して、画面表示されるマガジンデータを作成し、前記電子マガジン作成装置が、前記マガジンデータに関するコンテンツの既読を管理し、前記電子マガジン作成装置は、前記コンテンツの既読の管理に基づいて、前記マガジンデータによる情報提供量を変化させる、電子マガジン作成方法であって、前記電子マガジン作成装置は、前記コンテンツの既読の割合に応じて、前記マガジンデータの作成頻度を変える、電子マガジン作成方法である。
（１５）本発明の一態様は、電子マガジン作成装置が、所定の時機に所定の検索条件で通信ネットワークを介してコンテンツの検索を行い、前記電子マガジン作成装置が、前記検索の結果に基づいて、通信ネットワークを介してコンテンツを取得し、前記電子マガジン作成装置が、前記取得されたコンテンツを使用して、画面表示されるマガジンデータを作成し、前記電子マガジン作成装置が、前記マガジンデータに関するコンテンツの既読を管理し、前記電子マガジン作成装置は、前記コンテンツの既読の管理に基づいて、前記マガジンデータによる情報提供量を変化させる、電子マガジン作成方法であって、前記電子マガジン作成装置は、自己の電子マガジン作成装置の非使用期間の長さに応じて、前記マガジンデータの作成頻度を変える、電子マガジン作成方法である。
（１６）本発明の一態様は、電子マガジン作成装置が、所定の時機に所定の検索条件で通信ネットワークを介してコンテンツの検索を行い、前記電子マガジン作成装置が、前記検索の結果に基づいて、通信ネットワークを介してコンテンツを取得し、前記電子マガジン作成装置が、前記取得されたコンテンツを使用して、画面表示されるマガジンデータを作成し、前記電子マガジン作成装置が、前記マガジンデータに関するコンテンツの既読を管理し、前記電子マガジン作成装置は、前記コンテンツの既読の管理に基づいて、前記マガジンデータによる情報提供量を変化させる、電子マガジン作成方法であって、前記電子マガジン作成装置は、自己の電子マガジン作成装置の起動時刻履歴情報に基づいて、前記所定の時機を変更する、電子マガジン作成方法である。
【００１１】
（１７）本発明の一態様は、コンピュータに、所定の時機に所定の検索条件で通信ネットワークを介してコンテンツの検索を行う検索実行機能と、前記検索の結果に基づいて、通信ネットワークを介してコンテンツを取得するコンテンツ取得機能と、前記取得されたコンテンツを使用して、画面表示されるマガジンデータを作成するマガジン作成機能と、前記マガジンデータに関するコンテンツの既読を管理する既読管理機能と、を実現させるためのコンピュータプログラムであり、前記マガジン作成機能は、前記コンテンツの既読の管理に基づいて、前記マガジンデータによる情報提供量を変化させ、前記マガジン作成機能は、前記コンテンツの既読の割合に応じて見出しの表示数を変える、コンピュータプログラムである。
（１８）本発明の一態様は、コンピュータに、所定の時機に所定の検索条件で通信ネットワークを介してコンテンツの検索を行う検索実行機能と、前記検索の結果に基づいて、通信ネットワークを介してコンテンツを取得するコンテンツ取得機能と、前記取得されたコンテンツを使用して、画面表示されるマガジンデータを作成するマガジン作成機能と、前記マガジンデータに関するコンテンツの既読を管理する既読管理機能と、を実現させるためのコンピュータプログラムであり、前記マガジン作成機能は、前記コンテンツの既読の管理に基づいて、前記マガジンデータによる情報提供量を変化させ、前記マガジン作成機能は、前記コンテンツの既読の割合に応じて、前記マガジンデータの作成頻度を変える、コンピュータプログラムである。
（１９）本発明の一態様は、コンピュータに、所定の時機に所定の検索条件で通信ネットワークを介してコンテンツの検索を行う検索実行機能と、前記検索の結果に基づいて、通信ネットワークを介してコンテンツを取得するコンテンツ取得機能と、前記取得されたコンテンツを使用して、画面表示されるマガジンデータを作成するマガジン作成機能と、前記マガジンデータに関するコンテンツの既読を管理する既読管理機能と、を実現させるためのコンピュータプログラムであり、前記マガジン作成機能は、前記コンテンツの既読の管理に基づいて、前記マガジンデータによる情報提供量を変化させ、前記マガジン作成機能は、自己の電子マガジン作成装置の非使用期間の長さに応じて、前記マガジンデータの作成頻度を変える、コンピュータプログラムである。
（２０）本発明の一態様は、コンピュータに、所定の時機に所定の検索条件で通信ネットワークを介してコンテンツの検索を行う検索実行機能と、前記検索の結果に基づいて、通信ネットワークを介してコンテンツを取得するコンテンツ取得機能と、前記取得されたコンテンツを使用して、画面表示されるマガジンデータを作成するマガジン作成機能と、前記マガジンデータに関するコンテンツの既読を管理する既読管理機能と、を実現させるためのコンピュータプログラムであり、前記マガジン作成機能は、前記コンテンツの既読の管理に基づいて、前記マガジンデータによる情報提供量を変化させ、前記検索実行機能は、自己の電子マガジン作成装置の起動時刻履歴情報に基づいて、前記所定の時機を変更する、コンピュータプログラムである。
【発明の効果】
【００１２】
本発明によれば、電子マガジンで利用者に提供する情報量の適正化に寄与できるという効果が得られる。
【図面の簡単な説明】
【００１３】
【図１】本発明の一実施形態に係る電子マガジン作成装置１の構成を示すブロック図である。
【図２】図１に示す電子マガジン作成装置１を実現するハードウェアの構成例を示すブロック図である。
【図３】図１に示す電子マガジン作成装置１を使用した電子マガジン作成システムの構成例を示す図である。
【図４】本発明の一実施形態に係る電子マガジン作成方法の全体の手順を示すフローチャートである。
【図５】本発明の一実施形態に係る電子マガジン作成方法の具体例を示すシーケンスチャートである。
【図６】本発明の一実施形態に係るマガジンデータ作成方法の手順を示すフローチャートである。
【図７】本発明の一実施形態に係る既読管理データの構成例を示す図である。
【図８】本発明の一実施形態に係る既読管理データの構成例を示す図である。
【図９】本発明の一実施形態に係るコンテンツの既読判定方法の手順を示すフローチャートである。
【発明を実施するための形態】
【００１４】
以下、図面を参照し、本発明の実施形態について説明する。
図１は、本発明の一実施形態に係る電子マガジン作成装置１の構成を示すブロック図である。図１において、電子マガジン作成装置１は、入力部２と検索時機条件データ記憶部３と検索実行部４とコンテンツ取得部５とコンテンツデータ記憶部６とマガジン作成部７とマガジンデータ記憶部８と既読管理部９と既読管理データ記憶部１０と出力部１１を備える。
【００１５】
入力部２は、電子マガジン作成装置１で使用されるデータの入力を行う。検索時機条件データ記憶部３は、検索時機や検索条件を示すデータを記憶する。検索実行部４は、所定の時機に所定の検索条件で通信ネットワークを介してコンテンツの検索を行う。その所定の時機や所定の検索条件は、検索時機条件データ記憶部３に記憶されているデータに基づいている。コンテンツ取得部５は、検索実行部４による検索の結果に基づいて、通信ネットワークを介してコンテンツを取得する。コンテンツデータ記憶部６は、コンテンツ取得部５によって取得されたコンテンツのデータを記憶する。マガジン作成部７は、コンテンツ取得部５によって取得されたコンテンツを使用して、画面表示されるマガジンデータを作成する。マガジンデータ記憶部８は、マガジン作成部７によって作成されたマガジンデータを記憶する。既読管理部９は、マガジンデータに関するコンテンツの既読を管理する。既読管理データ記憶部１０は、マガジンデータに関するコンテンツの既読の管理についてのデータを記憶する。出力部１１は、マガジンデータ等のデータの出力を行う。
【００１６】
図２は、図１に示す電子マガジン作成装置１を実現するハードウェアの構成例を示すブロック図である。図２において、電子マガジン作成装置１は、ＣＰＵ部２１と記憶部２２と通信部２３と操作部２４と表示部２５を備える。これら各部はデータを交換できるように構成されている。
【００１７】
ＣＰＵ部２１は電子マガジン作成装置１の制御を行う。この制御機能は、ＣＰＵ部２１がコンピュータプログラムを実行することにより実現される。記憶部２２は、ＣＰＵ部２１で実行されるコンピュータプログラムや各種のデータを記憶する。記憶部２２は、電子マガジン作成プログラム３１を記憶している。図１に示される電子マガジン作成装置１の各部の機能は、図２に示されるＣＰＵ部２１が記憶部２２に記憶される電子マガジン作成プログラム３１を実行することにより実現される。また、図１に示される電子マガジン作成装置１の各記憶部は、図２に示される記憶部２２内に設けられる。
【００１８】
通信部２３は、通信ネットワークを介して他の装置と通信する。操作部２４は、キーボード、テンキー、マウス等の入力デバイスから構成され、利用者の操作に応じたデータ入力を行う。表示部２５は、液晶表示装置等の表示デバイスから構成され、データ表示を行う。また、データ入力とデータ表示の両方が可能なタッチパネルを備えてもよい。
【００１９】
なお、電子マガジン作成装置１として、汎用のコンピュータ装置を使用して構成してもよく、又は、専用のハードウェア装置として構成してもよい。また、電子マガジン作成装置１として、スマートフォン等の携帯通信端末装置、タブレット型のコンピュータ装置、据置き型のパーソナルコンピュータ装置などを利用してもよい。
【００２０】
図３は、本実施形態に係る電子マガジン作成装置１を使用した電子マガジン作成システムの構成例を示す図である。電子マガジン作成装置１は、通信ネットワーク５０を介して、コンテンツ検索配信システム４０、ニュース配信サーバ４１、電子商取引サーバ４２、ＳＮＳ（Social Networking Service）サーバ４３、動画共有サーバ４４などのコンテンツ提供元と通信する。電子マガジン作成装置１は、コンテンツ提供元に対して所定の検索条件でコンテンツの検索を行い、該検索の結果に基づいてコンテンツ提供元からコンテンツを取得する。
【００２１】
図４は、本実施形態に係る電子マガジン作成方法の全体の手順を示すフローチャートである。図４を参照して、本実施形態の電子マガジン作成装置１が行う電子マガジン作成に係る動作の全体の概要を説明する。
【００２２】
（ステップＳ１）まず検索時機および検索条件の設定を行う。検索時機および検索条件として、利用者が指定したもの、デフォルトとして予め設定されているものなどがある。利用者が指定した検索時機や検索条件を示すデータは、入力部２から入力されたデータが検索時機条件データ記憶部３に記憶される。デフォルトの検索時機や検索条件を示すデータは、予め検索時機条件データ記憶部３に記憶される。
【００２３】
（ステップＳ２）検索実行部４が、所定の時機に所定の検索条件で通信ネットワークを介してコンテンツの検索を行う。該所定の時機および所定の検索条件は、検索時機条件データ記憶部３に記憶されているデータに基づいている。
【００２４】
（ステップＳ３）コンテンツ取得部５が、検索実行部４による検索の結果に基づいて、通信ネットワークを介してコンテンツを取得する。この取得されたコンテンツのデータは、コンテンツデータ記憶部６に記憶される。
【００２５】
（ステップＳ４）マガジン作成部７が、コンテンツ取得部５によって取得されたコンテンツを使用して、画面表示されるマガジンデータを作成する。この作成されたマガジンデータは、マガジンデータ記憶部８に記憶される。
【００２６】
（ステップＳ５）既読管理部９が、マガジンデータに関するコンテンツの既読を管理する。この既読の管理についてのデータは、既読管理データ記憶部１０に記憶される。
【００２７】
図５は、本実施形態に係る電子マガジン作成方法の具体例を示すシーケンスチャートである。この図５の例は、図３の電子マガジン作成システムに対応している。図５を参照して、本実施形態の電子マガジン作成装置１が行う電子マガジン作成に係る動作の具体例を説明する。
【００２８】
（ステップＳ１１）まず利用者がキーワードを入力する。このキーワードの入力は、例えば操作部２４（図２参照）を操作することにより行われる。入力部２は、該入力されたキーワードを検索時機条件データ記憶部３に記憶させる。図５の例では、３個のキーワードＸ，Ｙ，Ｚが入力されて検索時機条件データ記憶部３に記憶される。
【００２９】
（ステップＳ１２）検索実行部４は、所定の時機に、キーワードＸ，Ｙ，Ｚを使用して、コンテンツの検索を行う。該所定の時機として、例えば、毎日午前５時にコンテンツの検索を行う。このコンテンツの検索は、キーワードＸ，Ｙ，Ｚ毎に行われる。具体的には、検索実行部４は、通信ネットワーク５０を介して、コンテンツ検索配信システム４０、ニュース配信サーバ４１、電子商取引サーバ４２、ＳＮＳサーバ４３、動画共有サーバ４４のそれぞれに対し、キーワードＸ，Ｙ，Ｚを送信し、キーワードＸ，Ｙ，Ｚ毎に検索を要求する。検索実行部４は、その検索の要求の応答として、コンテンツ検索配信システム４０、ニュース配信サーバ４１、電子商取引サーバ４２、ＳＮＳサーバ４３、動画共有サーバ４４のそれぞれから、キーワードＸ，Ｙ，Ｚ毎に、検索結果を受信する。
【００３０】
インターネット５２に接続されているニュース配信サーバ４１、電子商取引サーバ４２、ＳＮＳサーバ４３及び動画共有サーバ４４は、各キーワードＸ，Ｙ，Ｚに該当する自己のコンテンツを示す情報を、各キーワードＸ，Ｙ，Ｚの検索結果として応答する。コンテンツ検索配信システム４０では、検索サーバ６１が、コンテンツ検索配信システム４０に備わるコンテンツデータベース６２に格納されているコンテンツに対してキーワードＸ，Ｙ，Ｚ毎に検索を行い、該検索の結果であるコンテンツを示す情報を各キーワードＸ，Ｙ，Ｚの検索結果として応答する。
【００３１】
（ステップＳ１３）コンテンツ取得部５は、ステップＳ１２で受信された検索結果で示されるコンテンツの中から、例えば所定の個数だけ、コンテンツをダウンロード（受信）する。コンテンツ取得部５は、そのダウンロードにより取得したコンテンツのデータをコンテンツデータ記憶部６に記憶させる。該コンテンツのデータは、当該コンテンツの見出しのデータと、当該コンテンツの詳細のデータとを含む。なお、動画共有サーバ４４からは、動画の見出しのデータと、該動画のデータの所在を示すＵＲＬ（Uniform Resource Locator）をダウンロードし、動画の詳細データについてはダウンロードしない。
【００３２】
（ステップＳ１４）マガジン作成部７は、ステップＳ１３で取得されたコンテンツを使用して、画面表示されるマガジンデータを作成する。このマガジンデータは、キーワードＸ，Ｙ，Ｚ毎に作成される。マガジン作成部７は、キーワードＸによる検索の結果に基づいて取得されたコンテンツを使用して、キーワードＸについてのマガジンデータを作成する。また、マガジン作成部７は、キーワードＹによる検索の結果に基づいて取得されたコンテンツを使用して、キーワードＹについてのマガジンデータを作成する。また、マガジン作成部７は、キーワードＺによる検索の結果に基づいて取得されたコンテンツを使用して、キーワードＺについてのマガジンデータを作成する。
【００３３】
マガジン作成部７は、その作成したマガジンデータをマガジンデータ記憶部８に記憶させる。出力部１１は、その作成されたマガジンデータを出力する。この出力されたマガジンデータは、例えば表示部２５（図２参照）の表示画面上に表示される。このマガジンデータの表示では、例えば最初に当該マガジンの表紙が表示される。なお、マガジンデータの表示は、電子マガジン作成装置１の表示部２５で表示してもよく、又は、電子マガジン作成装置１の外部の表示装置へマガジンデータを出力することにより該外部の表示装置で表示してもよい。
【００３４】
（ステップＳ１５）利用者が画面表示されたマガジンデータについての閲覧の操作を行うことにより、マガジンデータに含まれるコンテンツの見出しや詳細が画面表示される。該マガジンデータについての閲覧の操作は、例えば、マガジンデータが表示されているタッチパネル上で行われる。該利用者の操作によって画面表示されたコンテンツの見出しや詳細についての情報は、入力部２によって入力される。既読管理部９は、該入力された情報に基づいて、コンテンツの既読の管理を行う。
【００３５】
（ステップＳ１６、Ｓ１７、Ｓ１８）利用者は、動画共有サーバ４４から取得されたコンテンツで示される動画を再生する際には、画面表示されている動画の再生ボタンを操作する（ステップＳ１６）。この操作の情報は、入力部２によって入力される。コンテンツ取得部５は、その入力された操作の情報に応じて、該当する動画のＵＲＬへアクセスし、動画のストリーミング再生を要求する（ステップＳ１７）。これにより、動画のストリーミング再生が行われる（ステップＳ１８）。
【００３６】
［マガジンデータの作成］
次に、本実施形態に係るマガジンデータ作成方法を説明する。本実施形態では、マガジン作成部７は、既読管理部９によるコンテンツの既読の管理に基づいて、マガジンデータによる情報提供量を変化させる。図６は、本実施形態に係るマガジンデータ作成方法の手順を示すフローチャートである。図６を参照して、本実施形態のマガジン作成部７が行うマガジンデータの作成に係る動作を説明する。
【００３７】
（ステップＳ６０１）マガジン作成部７は、コンテンツの既読の割合を算出する。具体的には、マガジン作成部７は、既読管理データ記憶部１０に記憶されている既読管理データを使用して、コンテンツの既読の割合を算出する。
【００３８】
図７は、本実施形態に係る既読管理データの構成例を示す図である。既読管理データは、マガジンデータに使用されたコンテンツについての既読を管理するためのデータであり、既読管理データ記憶部１０に記憶される。マガジンデータに関するコンテンツの既読は、マガジンデータの発行号ごとに管理されている。図７の例は、日刊で電子マガジンが発行される場合である。図７の例では、既読管理データは、７日分の発行号（説明の便宜上、５月１日号から５月７日号までとする）のデータを有する。既読管理データは、発行号毎に、マガジンデータに使用されたコンテンツが既読であるか否かが示されている。図７中のコンテンツに対応する欄に「既読」が示されている場合は該コンテンツが既読であることを示し、該欄が空白である場合は該コンテンツが既読ではない（つまり、未読である）ことを示す。
【００３９】
マガジン作成部７は、その既読管理データで示されるコンテンツの総数と、既読のコンテンツの数とに基づいて、コンテンツの総数に対する既読のコンテンツの数の割合を算出する。
【００４０】
（ステップＳ６０２）マガジン作成部７は、該算出したコンテンツの既読の割合を、所定の基準値と比較する。
【００４１】
（ステップＳ６０３）マガジン作成部７は、該比較の結果に応じて、マガジンデータによる情報提供量を決める。
【００４２】
［マガジンデータの作成：情報提供量の決定方法］
以下に、マガジンデータによる情報提供量の決定方法の例を示す。
【００４３】
［情報提供量の決定方法の例１］マガジン作成部７は、コンテンツの既読の割合に応じて見出しの表示数を変える。具体的には、マガジン作成部７は、上記ステップＳ６０２の比較の結果に応じて、マガジンデータに含まれるコンテンツのうち、見出しを表示するコンテンツの数（見出しの表示数）を決める。この見出しの表示数の決め方の例を以下に挙げる。なお、見出しの表示数の初期値は予め設定されている。
【００４４】
（見出しの表示数の決め方の例１−１）上記ステップＳ６０２の比較の結果、コンテンツの既読の割合が多いと判断された場合には、見出しの表示数を所定数だけ増やす。これは、マガジンデータによる情報提供量に物足りなさを感じている利用者を想定している。
【００４５】
（見出しの表示数の決め方の例１−２）上記ステップＳ６０２の比較の結果、コンテンツの既読の割合が多いと判断された場合には、見出しの表示数を所定数だけ減らす。これは、マガジンデータによる情報提供量は十分と感じているが、未読を減らすために頻繁に電子マガジンをチェックしている利用者を想定している。
【００４６】
（見出しの表示数の決め方の例１−３）上記ステップＳ６０２の比較の結果、コンテンツの既読の割合が少ないと判断された場合には、見出しの表示数を所定数だけ減らす。これは、電子マガジンをあまり読む習慣がなく、それほど多くの情報を必要と感じていない利用者を想定している。
【００４７】
（見出しの表示数の決め方の例１−４）上記ステップＳ６０２の比較の結果、コンテンツの既読の割合が少ないと判断された場合には、見出しの表示数を所定数だけ増やす。これは、電子マガジンをたまにしか読まないが、読む時にはまとめて読むタイプの利用者に対して１回の電子マガジンで提供する情報量を増やしてあげることを想定している。
【００４８】
上述した情報提供量の決定方法の例１による見出しの表示数の変更により、コンテンツの既読の割合に応じた提供情報量の適正化に寄与できる。
【００４９】
なお、上記ステップＳ６０１におけるコンテンツの既読の割合をジャンル毎に算出し、ジャンル毎に、その既読割合に応じて見出しの表示数を変えてもよい。この場合、既読管理データは、各コンテンツのジャンルを示す情報を有する。該ジャンルとして、コンテンツ提供元の種類が挙げられる。図３の例では、コンテンツ提供元の種類として、ニュース（ニュース配信サーバ）、ショッピング（電子商取引サーバ）、ＳＮＳ（ＳＮＳサーバ）、エンターテインメント（動画共有サーバ）の４種類がある。例えば、ニュース配信サーバ４１から取得されたコンテンツのジャンルはニュースであり、マガジンデータに含まれるニュースについてのコンテンツの見出しのデータは、ニュースについての見出しとして分類されて表示される。コンテンツ検索配信システム４０については、コンテンツ検索配信システム４０に備わる各コンテンツデータベース６２がジャンル別である場合に、該コンテンツデータベース６２のジャンルを使用する。日時別に見出しを表示する場合には、同じ日付の同じ時間帯に作成されたコンテンツの見出しのデータが同じ日時として分類されて表示される。また、ジャンル別かつ日時別に、コンテンツの見出しのデータが分類されて表示されてもよい。
【００５０】
［情報提供量の決定方法の例２］マガジン作成部７は、コンテンツの既読の割合に応じて、マガジンデータの作成頻度を変える。具体的には、マガジン作成部７は、上記ステップＳ６０２の比較の結果に応じて、マガジンデータを作成する頻度（マガジンデータ作成頻度）を決める。このマガジンデータ作成頻度の決め方の例を以下に挙げる。なお、マガジンデータ作成頻度の初期値（例えば、１日に１回だけ作成）は予め設定されている。
【００５１】
（マガジンデータ作成頻度の決め方の例２−１）
上記ステップＳ６０２の比較の結果、コンテンツの既読の割合が多いと判断された場合には、マガジンデータ作成頻度を所定数だけ増やす。例えば、１日に１回だけ作成から、１日に２回だけ作成に増やす。これにより、検索実行部４によるコンテンツの検索も、該マガジンデータ作成頻度に合わせて増えることになる。
【００５２】
（マガジンデータ作成頻度の決め方の例２−２）
上記ステップＳ６０２の比較の結果、コンテンツの既読の割合が少ないと判断された場合には、マガジンデータ作成頻度を所定数だけ減らす。例えば、１日に１回だけ作成から、２日に１回だけ作成に減らす。これにより、検索実行部４によるコンテンツの検索も、該マガジンデータ作成頻度に合わせて減ることになる。
【００５３】
上述した情報提供量の決定方法の例２によるマガジンデータ作成頻度の変更により、コンテンツの既読の割合に応じた提供情報量の適正化と、コンテンツの検索および取得における通信量の適正化とに寄与できる。
【００５４】
なお、マガジンデータ作成頻度は、マガジンデータ別に変えるようにしてもよい。例えば、マガジンデータが検索実行部４でのコンテンツの検索に使用されるキーワード毎に作成される場合、各キーワードのマガジンデータ毎に、コンテンツの既読の割合を算出し、該コンテンツの既読の割合に応じてマガジンデータ作成頻度を決める。
【００５５】
また、同じマガジンデータにおいて、ジャンル毎に、その既読割合に応じてマガジンデータ作成頻度を変えてもよい。この場合、同じマガジンデータにおいて、ジャンル毎に作成頻度が変わる場合が起こり得る。したがって、作成時期ではないジャンルでは、新規発行のマガジンデータに対して、前回発行済みのマガジンデータと同じコンテンツが使用される。
【００５６】
［情報提供量の決定方法の例３］マガジン作成部７は、自己の電子マガジン作成装置１の非使用期間の長さに応じて、マガジンデータの作成頻度を変える。電子マガジン作成装置１の非使用期間の長さを示す情報として、利用者が電子マガジンアプリケーションの操作を行わなかった継続した期間を示す情報が挙げられる。非使用期間の長さは、電子マガジン作成装置１で測定してもよく、又は、電子マガジン作成装置１の外部の装置で測定してもよい。例えば、図２において、ＣＰＵ部２１が、電子マガジン作成装置１の非使用期間の長さを測定する機能を実現するコンピュータプログラムを実行することにより、該機能を実現してもよい。
【００５７】
この情報提供量の決定方法の例３におけるマガジンデータ作成頻度の決め方の例を以下に挙げる。なお、マガジンデータ作成頻度の初期値（例えば、１日に１回だけ作成）は予め設定されている。電子マガジン作成装置１の非使用期間の長さを基準値と比較し、この比較の結果、非使用期間が長いと判断された場合には、マガジンデータ作成頻度を所定数だけ減らす。例えば、１日に１回だけ作成から、２日に１回だけ作成に減らす。また、非使用期間が基準値を大きく超える場合には、例えば基準値が１週間に対して非使用期間が１か月以上である場合などには、マガジンデータの作成頻度を０とし、マガジンデータの作成を停止するようにしてもよい。
【００５８】
上述した情報提供量の決定方法の例３によるマガジンデータ作成頻度の変更により、電子マガジン作成装置１の非使用期間の長さに応じた提供情報量の適正化と、コンテンツの検索および取得における通信量の適正化とに寄与できる。
【００５９】
なお、出力部１１が、電子マガジン作成装置１の非使用期間の長さと、マガジンデータに使用されたコンテンツの未読数とに基づいて、利用者に対するメッセージを出力するようにしてもよい。この場合、出力部１１は、メッセージ出力部として機能する。マガジンデータに使用されたコンテンツの未読数は、当該マガジンデータに関する既読管理データで示されるコンテンツの総数から既読のコンテンツの数を減算することによって得られる。また、出力部１１が出力するメッセージとして、電子マガジン作成装置１の非使用期間の長さと、マガジンデータに使用されたコンテンツの未読数とに基づくメッセージを予め準備しておく。また、出力部１１が出力するメッセージの内容として、ビッグニュースを報知するメッセージが挙げられる。これにより、非使用期間が所定の長さよりも長い利用者に対して、電子マガジン作成装置１の利用を促す効果が期待できる。ビッグニュースとして、ニュース配信サーバから取得されたニュースのコンテンツであって、所定数以上の多数のニュース配信サーバから配信されたり、又は、所定回数以上繰り返しニュース配信サーバから配信されたり、したコンテンツが挙げられる。又は、ビッグニュースとして、ＳＮＳサーバから取得された投稿記事のコンテンツであって、所定数以上の多数の閲覧者から高評価を付けられたり、所定回数以上の多数の閲覧者から再投稿されたり、したコンテンツが挙げられる。
【００６０】
［コンテンツの検索］
検索実行部４は、自己の電子マガジン作成装置１の起動時刻履歴情報に基づいて、コンテンツの検索を行う所定の時機を変更するようにしてもよい。電子マガジン作成装置１の起動時刻履歴情報として、利用者が電子マガジンアプリケーションの操作を開始した時刻の記録が挙げられる。起動時刻履歴情報は、電子マガジン作成装置１で生成してもよく、又は、電子マガジン作成装置１の外部の装置で生成してもよい。例えば、図２において、ＣＰＵ部２１が、電子マガジン作成装置１の起動時刻履歴情報を生成する機能を実現するコンピュータプログラムを実行することにより、該機能を実現してもよい。
【００６１】
コンテンツの検索を行う所定の時機を変更する方法として、起動時刻履歴情報において起動時刻が最も多い時間帯を調べ、該調査結果の時間帯の初めの方の所定時刻に、コンテンツの検索を行う所定の時機を変更する、ことが挙げられる。これにより、利用者が電子マガジン作成装置１をよく利用する時間帯に合わせて検索された結果に基づいたコンテンツを、電子マガジンとして提供することができる。例えば、毎日、お昼休み（説明の便宜上、１２時から１３時までとする）に電子マガジンアプリケーションを起動して電子マガジンを閲覧する利用者に対して、コンテンツの検索を行う所定の時機を１２時とすることにより、利用者が電子マガジンを閲覧する時機に即したコンテンツを提供することができる。
【００６２】
また、検索実行部４は、自己の電子マガジン作成装置１の使用頻度に応じて、コンテンツの検索量を変えるようにしてもよい。電子マガジン作成装置１の使用頻度として、利用者が電子マガジンアプリケーションの操作を開始した事の頻度が挙げられる。電子マガジン作成装置１の使用頻度は、電子マガジン作成装置１で測定してもよく、又は、電子マガジン作成装置１の外部の装置で測定してもよい。例えば、図２において、ＣＰＵ部２１が、電子マガジン作成装置１の使用頻度を測定する機能を実現するコンピュータプログラムを実行することにより、該機能を実現してもよい。
【００６３】
コンテンツの検索量を変更する方法として、電子マガジン作成装置１の使用頻度が基準値よりも多い場合にコンテンツ検索先のサイト数を所定数だけ増やすことが挙げられる。また、電子マガジン作成装置１の使用頻度が基準値よりも少ない場合にコンテンツ検索先のサイト数を所定数だけ減らすことが挙げられる。これにより、コンテンツの検索および取得において、電子マガジン作成装置１の使用頻度に応じた通信量の適正化に寄与できる。
【００６４】
以下、本実施形態に係るコンテンツの既読管理方法の例を説明する。
【００６５】
［コンテンツの既読管理：コンテンツＩＤについて］
既読管理部９は、コンテンツ取得部５によって取得されたコンテンツの種類に応じたコンテンツ識別子（コンテンツＩＤ）を使用して、マガジンデータに関するコンテンツの既読を管理する。具体的には、コンテンツ提供元に固有のコンテンツＩＤが有るコンテンツについては、該コンテンツ提供元に固有のコンテンツＩＤを使用する。一方、コンテンツ提供元に固有のコンテンツＩＤが無いコンテンツについては、該コンテンツに固有の情報をコンテンツＩＤに使用する。
【００６６】
例えば、図３に例示されるニュース配信サーバ４１、電子商取引サーバ４２、動画共有サーバ４４、コンテンツ検索配信システム４０のそれぞれでは、各コンテンツに固有のコンテンツＩＤが付与されているとする。この場合、ニュース配信サーバ４１から取得されたコンテンツに対しては、該ニュース配信サーバ４１で該コンテンツに付与されている該ニュース配信サーバ４１に固有のコンテンツＩＤを使用する。また、電子商取引サーバ４２から取得されたコンテンツに対しては、該電子商取引サーバ４２で該コンテンツに付与されている該電子商取引サーバ４２に固有のコンテンツＩＤを使用する。また、動画共有サーバ４４から取得されたコンテンツに対しては、該動画共有サーバ４４で該コンテンツに付与されている該動画共有サーバ４４に固有のコンテンツＩＤを使用する。また、コンテンツ検索配信システム４０から取得されたコンテンツに対しては、該コンテンツ検索配信システム４０で該コンテンツに付与されている該コンテンツ検索配信システム４０に固有のコンテンツＩＤを使用する。それらコンテンツ提供元に固有のコンテンツＩＤは、例えば、コンテンツ提供元へ送信する検索要求のＡＰＩ（Application Programming Interface）に対する応答メッセージ中のコンテンツＩＤフィールドに含まれるものである。
【００６７】
一方、図３に例示されるＳＮＳサーバ４３のそれぞれでは、各コンテンツに固有のコンテンツＩＤが付与されていないとする。この場合、ＳＮＳサーバ４３から取得されたコンテンツに対しては、該コンテンツに固有の情報をコンテンツＩＤに使用する。例えば、ＳＮＳサーバ４３から取得されたコンテンツの所在を示すＵＲＬ（コンテンツの位置情報）を当該コンテンツのコンテンツＩＤに使用する。
【００６８】
既読管理部９は、コンテンツＩＤによってコンテンツの識別を行い、個々のコンテンツについての既読を管理する。図８は、本実施形態に係る既読管理データの構成例を示す図である。既読管理データは、マガジンデータに使用されたコンテンツについての既読を管理するためのデータであり、既読管理データ記憶部１０に記憶される。図８の例では、コンテンツ取得部５がコンテンツを取得したコンテンツ提供元ごとに、各コンテンツＩＤに対して、該当するコンテンツが既読であるか否かが示されている。図８中のコンテンツＩＤに対応する欄に「既読」が示されている場合は該コンテンツＩＤのコンテンツが既読であることを示し、該欄が空白である場合は該コンテンツＩＤのコンテンツが既読ではない（つまり、未読である）ことを示す。
【００６９】
図８において、ニュース配信サーバＡから取得されたコンテンツについては、ニュース配信サーバ４１に固有のコンテンツＩＤが付与されており、該コンテンツＩＤに対して、該当するコンテンツが既読であるか否かが示されている。例えば、ニュース配信サーバＡから取得されたコンテンツのうち、コンテンツＩＤ＿１のコンテンツは「既読」であり、コンテンツＩＤ＿２のコンテンツは「未読」であることが示されている。同様に、電子商取引サーバＢ、動画共有サーバＣ、動画共有サーバＤ、コンテンツ検索配信システムＥのそれぞれから取得されたコンテンツについては、各コンテンツ提供元に固有のコンテンツＩＤが付与されており、コンテンツ提供元毎に、該コンテンツＩＤに対して、該当するコンテンツが既読であるか否かが示されている。
【００７０】
また、図８において、ＳＮＳサーバＦから取得されたコンテンツについては、当該コンテンツの位置情報であるＵＲＬが当該コンテンツのコンテンツＩＤに使用されており、該コンテンツＩＤに対して、該当するコンテンツが既読であるか否かが示されている。例えば、ＳＮＳサーバＦから取得されたコンテンツのうち、ＵＲＬ＿Ｆ１のコンテンツは「既読」であり、ＵＲＬ＿Ｆ２のコンテンツは「未読」であることが示されている。同様に、ＳＮＳサーバＧから取得されたコンテンツについては、当該コンテンツの位置情報であるＵＲＬが当該コンテンツのコンテンツＩＤに使用されており、該コンテンツＩＤに対して、該当するコンテンツが既読であるか否かが示されている。
【００７１】
［コンテンツの既読管理：コンテンツの既読の付与契機について］
既読管理部９は、マガジンデータの見出しが表示された場合に該表示された見出しのコンテンツを既読にする。マガジンデータには、コンテンツの見出しのデータと該コンテンツの詳細のデータが含まれるが、その見出しのデータが画面表示された場合に、既読管理部９は、既読管理データにおいて、該画面表示された見出しのコンテンツのコンテンツＩＤに対応する欄に「既読」を示す。画面表示された見出しについての情報は、入力部２によって入力される。既読管理部９は、該入力された見出しについての情報に基づいて、既読管理データの更新を行う。
【００７２】
なお、マガジンデータの見出しは、ジャンル又は日時別に表示される。該ジャンルとして、コンテンツ提供元の種類が挙げられる。図３の例では、コンテンツ提供元の種類として、ニュース（ニュース配信サーバ）、ショッピング（電子商取引サーバ）、ＳＮＳ（ＳＮＳサーバ）、エンターテインメント（動画共有サーバ）の４種類がある。例えば、ニュース配信サーバ４１から取得されたコンテンツのジャンルはニュースであり、マガジンデータに含まれるニュースについてのコンテンツの見出しのデータは、ニュースについての見出しとして分類されて表示される。コンテンツ検索配信システム４０については、コンテンツ検索配信システム４０に備わる各コンテンツデータベース６２がジャンル別である場合に、該コンテンツデータベース６２のジャンルを使用する。日時別に見出しを表示する場合には、同じ日付の同じ時間帯に作成されたコンテンツの見出しのデータが同じ日時として分類されて表示される。また、ジャンル別かつ日時別に、コンテンツの見出しのデータが分類されて表示されてもよい。
【００７３】
［コンテンツの既読管理：コンテンツの既読判定について］
既読管理部９は、既読管理データ記憶部１０に記憶される既読管理データに基づいて、マガジンデータの新規発行時にコンテンツ取得部５によって取得されたコンテンツ（新規取得コンテンツ）についての既読を判定する。この判定の結果が既読である新規取得コンテンツについては破棄する。これにより、マガジン作成部７は、新規取得コンテンツの中から、既読の判定の結果として未読のコンテンツのみを新規発行のマガジンデータの作成に使用する。
【００７４】
図９は、本実施形態に係るコンテンツの既読判定方法の手順を示すフローチャートである。図９を参照して、本実施形態の既読管理部９が行うコンテンツの既読判定に係る動作を説明する。
【００７５】
（ステップＳ１０１）既読管理部９は、新規取得コンテンツのコンテンツＩＤと同じコンテンツＩＤが既読管理データ中に有るかを調べる。この調査では、既読管理データにおいて、新規取得コンテンツのコンテンツ提供元についてのコンテンツＩＤだけを対象にして、当該新規取得コンテンツのコンテンツＩＤと一致するかを調べる。例えば、図８の既読管理データにおいて、新規取得コンテンツのコンテンツ提供元がニュース配信サーバＡである場合には、既読管理データ中のニュース配信サーバＡについてのコンテンツＩＤのみを対象にして、当該新規取得コンテンツのコンテンツＩＤと一致するかを調べる。
【００７６】
（ステップＳ１０２）ステップＳ１０１の調査の結果、新規取得コンテンツのコンテンツＩＤと一致するコンテンツＩＤが既読管理データ中に有る場合にはステップＳ１０３へ進む。一方、該一致するコンテンツＩＤが既読管理データ中に無い場合には図９の処理を終了する。
【００７７】
（ステップＳ１０３）既読管理部９は、既読管理データにおいて、ステップＳ１０１で発見されたコンテンツＩＤ毎に、既読であるかを調べる。
【００７８】
（ステップＳ１０４）ステップＳ１０３の調査の結果、既読であるコンテンツＩＤについてはステップＳ１０５の処理を行う。一方、既読ではないコンテンツＩＤについては何も処理を行わない。
【００７９】
（ステップＳ１０５）既読管理部９は、ステップＳ１０３の調査の結果、既読のコンテンツＩＤである新規取得コンテンツを破棄する。この後、図９の処理を終了する。
【００８０】
なお、上述した図９のコンテンツの既読判定は、所定の期間だけ行うようにしてもよい。例えば、既読管理部９は、マガジンデータの作成時点から所定期間経過後に、当該マガジンデータに使用されたコンテンツの既読判定を停止する。マガジンデータの作成日時と、該マガジンデータに使用されたコンテンツのコンテンツＩＤとは、別途、記録しておく。既読判定を停止するコンテンツのコンテンツＩＤについては、既読管理データから削除することにより、既読判定が停止される。所定期間として例えば１週間で該当するコンテンツの既読判定を停止することが挙げられる。既読判定が停止されたコンテンツＩＤのコンテンツについては、新規取得コンテンツとして新たなマガジンデータの作成に使用される可能性がある。しかしながら、例えば最新ニュースとしてマガジンデータに掲載されてから、例えば１週間後に再び最新ニュースとして検索される可能性は低いと考えられる。このため、コンテンツがマガジンデータに使用されてから１週間などの所定期間だけで当該コンテンツの既読判定を停止しても、そのデメリットが許容できるならば、その既読判定を停止した分だけの負荷軽減の効果が得られる。
【００８１】
上述したコンテンツの既読管理方法によれば、電子マガジン作成装置１が異なる時機に検索されたコンテンツについての既読の管理を行う。これにより、コンテンツ提供元は、コンテンツ提供先ごとに、配信したコンテンツの既読の管理を行う必要はない。
【００８２】
また、上述したコンテンツの既読管理方法によれば、電子マガジン作成装置１が保持する既読管理データ中で既読か否かが付されたコンテンツＩＤと、新規取得コンテンツのコンテンツＩＤとの突合せによって、新規取得コンテンツの既読の判定を行うことができる。これは、新規取得コンテンツの既読の判定にかかる負荷の軽減に大きく寄与する。この点を説明する。既に発行されたマガジンデータに使用されたコンテンツ（使用コンテンツ）と、新規取得コンテンツとが同じであるか否かは、使用コンテンツと新規取得コンテンツとを一つ一つ照合することによっても判定することができる。しかしながら、使用コンテンツと新規取得コンテンツとを一つ一つ照合することは負荷が大きく、また、時間もかかる。このため、同じコンテンツに対して同じコンテンツＩＤを付与できれば、コンテンツＩＤによって使用コンテンツと新規取得コンテンツとの一致を簡単に判定できる。但し、ここで、同じコンテンツであっても異なる時機に検索されたコンテンツのそれぞれに対して、どのようにして同じコンテンツＩＤを付与するのかが課題となる。この課題の解決手段として、上述したコンテンツの既読管理方法では、コンテンツ取得部５によって取得されたコンテンツの種類に応じたコンテンツＩＤを使用する。これにより、異なる時機にそれぞれ検索された同じコンテンツに対して、同じコンテンツＩＤを付与できるようにしている。
【００８３】
また、本実施形態によれば、以下に示す効果が得られる。
本実施形態によれば、電子マガジン作成装置１において、新規取得コンテンツの中から未読のコンテンツを選択し、該選択した未読のコンテンツのみを新規発行のマガジンデータの作成に使用する。このため、コンテンツ提供元では、電子マガジン作成装置１から受信したキーワードによる検索の結果の中から、未読のコンテンツについての結果のみを抽出しなくてよい。つまり、コンテンツ提供元では、該検索の結果をそのまま電子マガジン作成装置１へ送信すればよい。これは、コンテンツ提供元に対する制約を減らすことに寄与することから、電子マガジン作成システムを構成する際に有用となる。
【００８４】
例えば、電子マガジン作成システムとして、検索条件Ａ「直近１週間以内に作成されたコンテンツのみ」と検索条件Ｂ「未読のコンテンツのみ」の両方を満たすコンテンツを、コンテンツ提供元Ｘとコンテンツ提供元Ｙのそれぞれから取得するものを開発したいとする。ここで、コンテンツ提供元Ｘは開発元に属するため、コンテンツ提供元Ｘについて、検索条件Ａ，Ｂのそれぞれを指定するＡＰＩを新規に作成することができる。一方、コンテンツ提供元Ｙは開発元に属さないため、コンテンツ提供元Ｙについては新規にＡＰＩを作成することは難しく、例えば検索条件Ａは既存のＡＰＩを利用できるが、検索条件Ｂは該当するＡＰＩがなく、検索条件Ｂの指定ができないという不都合が生じる。このような状況下においても、本実施形態によれば、検索条件Ｂの処理については、電子マガジン作成装置１で行うので、検索条件Ａのみをコンテンツ提供元Ｘ，Ｙに要求すればよい。このように、本実施形態によれば、電子マガジン作成システムの開発における自由度が大きくなるという効果が得られる。
【００８５】
また、コンテンツ提供元Ｘに対して検索条件Ａ，ＢのＡＰＩを使用すると、検索条件Ａ，Ｂについての処理をコンテンツ提供元Ｘで行うので、コンテンツ提供元Ｘにかかる負荷が増大する。これに対して本実施形態によれば、電子マガジン作成装置１が検索条件Ａ，Ｂの処理を行うことにより、コンテンツ提供元Ｘでは検索条件Ａ，Ｂの処理を行う必要がない。このように、本実施形態により、電子マガジン作成装置１とコンテンツ提供元との間で負荷の分散を行うことができるという効果が得られる。
【００８６】
以上、本発明の実施形態について図面を参照して詳述してきたが、具体的な構成はこの実施形態に限られるものではなく、本発明の要旨を逸脱しない範囲の設計変更等も含まれる。
【００８７】
また、上述した電子マガジン作成装置１の機能を実現するためのコンピュータプログラムをコンピュータ読み取り可能な記録媒体に記録して、この記録媒体に記録されたプログラムをコンピュータシステムに読み込ませ、実行するようにしてもよい。なお、ここでいう「コンピュータシステム」とは、ＯＳや周辺機器等のハードウェアを含むものであってもよい。
また、「コンピュータ読み取り可能な記録媒体」とは、フレキシブルディスク、光磁気ディスク、ＲＯＭ、フラッシュメモリ等の書き込み可能な不揮発性メモリ、ＤＶＤ（Digital Versatile Disk）等の可搬媒体、コンピュータシステムに内蔵されるハードディスク等の記憶装置のことをいう。
【００８８】
さらに「コンピュータ読み取り可能な記録媒体」とは、インターネット等のネットワークや電話回線等の通信回線を介してプログラムが送信された場合のサーバやクライアントとなるコンピュータシステム内部の揮発性メモリ（例えばＤＲＡＭ（Dynamic Random Access Memory））のように、一定時間プログラムを保持しているものも含むものとする。
また、上記プログラムは、このプログラムを記憶装置等に格納したコンピュータシステムから、伝送媒体を介して、あるいは、伝送媒体中の伝送波により他のコンピュータシステムに伝送されてもよい。ここで、プログラムを伝送する「伝送媒体」は、インターネット等のネットワーク（通信網）や電話回線等の通信回線（通信線）のように情報を伝送する機能を有する媒体のことをいう。
また、上記プログラムは、前述した機能の一部を実現するためのものであっても良い。さらに、前述した機能をコンピュータシステムにすでに記録されているプログラムとの組み合わせで実現できるもの、いわゆる差分ファイル（差分プログラム）であっても良い。
【符号の説明】
【００８９】
１…電子マガジン作成装置、２…入力部、３…検索時機条件データ記憶部、４…検索実行部、５…コンテンツ取得部、６…コンテンツデータ記憶部、７…マガジン作成部、８…マガジンデータ記憶部、９…既読管理部、１０…既読管理データ記憶部、１１…出力部
【図１】
0006373101.tif 000002
【図２】
0006373101.tif 000003
【図３】
0006373101.tif 000004
【図４】
0006373101.tif 000005
【図５】
0006373101.tif 000006
【図６】
0006373101.tif 000007
【図７】
0006373101.tif 000008
【図８】
0006373101.tif 000009
【図９】
0006373101.tif 000010